(57)【特許請求の範囲】
【請求項１】
ヒータによりスモーク液を加熱気化してノズル孔より噴出する気化装置と、前記気化装置にスモーク液を供給するポンプと、前記気化装置を収容する発煙部と、前記気化装置とポンプを制御する制御部とを備えたスモーク発生装置において、前記気化装置は、バルブロッドとコイルからなりスモークの噴出または停止を行うバルブロッド開閉手段を有し、該バルブロッド開閉手段は加熱気化されたスモーク液が通過する通路内の前記ノズル孔より上流側にヒータと略平行かつコイルとヒータとが干渉しないように配置され、ノズル孔と前記バルブロッド開閉手段の中心軸とは異なる軸上にあり、ノズル孔は発煙部の中心に配置されたことを特徴とするスモーク発生装置。
【発明の詳細な説明】
【技術分野】
【０００１】
本発明は、舞台や各種イベント場、テーマパーク等で演出効果を高めるためのスモークを発生させるスモーク発生装置に関するものである。
【背景技術】
【０００２】
近年、グリセリン等の脂肪族多価アルコールと水とを含有するスモーク液を２５０〜３５０℃に加熱して気化することにより、人体に無害なスモークを発生させる装置が開発され使用されている。このスモーク発生装置は、小型で軽量であるため、持ち運びが容易であるとともに、舞台やテーマパーク等の任意の箇所に設置することができ、しかもスモークの発生量や発生タイミングのコントロールが容易であるという長所を有している。
【０００３】
具体的には、タンクに充填されたスモーク液がポンプにより気化装置に供給される。そして、気化装置では内蔵されたヒータによりスモーク液が加熱気化され、ソレノイドコイルで駆動する弁杆（バルブロッド）がノズルを開口することによって、ノズルからスモークが勢いよく噴出する構成となっている。
【０００４】
また、スモークの噴出を停止するには、ポンプを停止させると同時にバルブロッドがノズルを閉塞するため瞬時にスモークの噴出が停止できるようになっている。したがって、バルブロッドによりスモークの発生タイミングのコントロールが容易に行なえるため、スモークによる演出効果を高めることができる。（特許文献１）
【特許文献１】特開平０１−２３８８９２号公報
【発明の開示】
【発明が解決しようとする課題】
【０００５】
しかしながら、従来のスモーク発生装置では、スモーク液を加熱するためのヒータとバルブロッドを駆動するソレノイドコイルを備え、バルブロッドが直接ノズルを開閉する構成となっている。したがって、気化装置の構造はヒータとソレノイドコイルが干渉しないようなスペースが必要となるため、気化装置の小型化は難しかった。さらに、小型化が難しいことから気化装置の熱容量を小さくできないため、スモーク液を加熱気化するための消費電力も抑えることが難しかった。
【０００６】
また、舞台やテーマパークの大規模演出設備にスモーク発生装置を設置する場合には、従来のようなタンク、ポンプ、気化装置、制御部をスモーク発生装置内に収容した装置（一体タイプ）で問題なく設置可能である。しかし、設置場所が狭い場合やロボットなど動きのある演出設備では、従来の一体タイプのスモーク発生装置は設置できないため、気化装置を小型化して装置本体から分離し、この気化装置を遠距離から制御するスモーク発生装置（分離タイプ）が要望されていた。
【０００７】
本発明は上記課題を解決するためのもので、スモークの発生タイミングのコントロールが容易に行なえ、小型化した気化装置を備えたスモーク発生装置を提供することを目的とする。
【課題を解決するための手段】
【０００８】
ヒータによりスモーク液を加熱気化してノズル孔より噴出する気化装置と、前記気化装置にスモーク液を供給するポンプと、前記気化装置を収容する発煙部と、前記気化装置とポンプを制御する制御部とを備えたスモーク発生装置において、前記気化装置は、バルブロッドとコイルからなりスモークの噴出または停止を行うバルブロッド開閉手段を有し、該バルブロッド開閉手段は加熱気化されたスモーク液が通過する通路内の前記ノズル孔より上流側にヒータと略平行かつコイルとヒータとが干渉しないように配置され、ノズル孔と前記バルブロッド開閉手段の中心軸とは異なる軸上にあり、ノズル孔は発煙部の中心に配置されたことを特徴とするスモーク発生装置に係わるものである。
【発明の効果】
【００１１】
上述の構成にすることにより、スモークの発生タイミングのコントロールが容易に行なえる小型化した気化装置を得ることができる。したがって、設置スペースの狭い演出設備に設置が可能となり、使用範囲が広がると同時に演出効果を高める使い勝手の良いスモーク発生装置となる。また、小型化することにより気化装置の熱容量が小さくなるため、スモーク液を加熱気化するための消費電力を抑えることができる。
【発明を実施するための最良の形態】
【００１２】
好適と考える本発明の実施形態を、本発明の作用を示して簡単に説明する。
【００１３】
本発明は、スモーク発生装置の気化装置において、スモークの噴出または停止を行なうバルブロッド開閉手段は加熱気化されたスモーク液が通過する通路内のノズル孔より上流側に配置されたものである。また、ヒータとバルブロッド開閉手段を略平行に配置し、ノズル孔とバルブロッド開閉手段の中心軸は異なる軸上に配置されたものである
【００１４】
つまり、バルブロッド開閉手段によりノズル孔の開閉を行なわないため、ノズルとバルブロッド開閉手段の中心軸は同じ軸上に配置する必要がなくなることから、バルブロッド開閉手段のソレノイドコイルとヒータの配置はお互いに干渉しない最小スペースで配置できるため、気化装置の小型化が可能となる。
【００１５】
したがって、スモークの噴出および停止が容易に行なえ、設置スペースの狭い演出設備でも使用が可能となり、使用範囲が広がると同時に演出効果を高める使い勝手の良いスモーク発生装置となる。さらに、小型化により気化装置の熱容量が小さくなるため、スモーク液を加熱気化するための消費電力も抑えることができるのである。
【実施例】
【００１６】
以下本発明の実施例を図面により説明する。図１は本発明のスモーク発生装置の構成図、図２は気化装置を収容した発煙部の外観傾斜図、図３は気化装置の概略断面図である。なお、実施例は、気化装置を本体から分離したスモーク発生装置について説明する。
【００１７】
図１において、１は気化装置２を収容した発煙部、３はスモーク発生装置の本体、４はスモーク液を貯蔵するタンク、５はスモーク液を気化装置２に送液するポンプ、６はスモークの噴出及び停止を指示する操作部、７は操作部６からの指示により気化装置２及びポンプ５を制御する制御部である。そして、本体３から分離された発煙部１を遠距離から制御するために通信ケーブル８と送液パイプ９を備えている。
【００１８】
図２において、発煙部１は気化装置２を収納した間口方向が狭く奥行きが長い形状であり、加熱気化されたスモーク液がスモークとして噴出するための気化装置２のノズル孔１０が発煙部１の間口方向の中心に配置されるようになっている。尚、発煙部１の形状は本実施例に限定されるものではない。
【００１９】
図３において、気化装置２はスモーク液を加熱気化するためのヒータ１１とバルブロッド開閉手段１２および図示しない温度検知手段を備え、バルブロッド開閉手段１２はスモークの噴出および停止を行なうバルブロッド１２Ａと、このバルブロッド１２Ａを駆動するソレノイドコイル１２Ｂから構成されている。
【００２０】
さらに、１３はバルブロッド１２Ａにより開閉される開閉部である。そして、気化装置２はヒータ１１とソレノイドコイル１２Ｂおよび温度検知手段を制御するための通信ケーブル８とスモーク液を供給する送液パイプ９とにより本体３と接続されている。
【００２１】
また、バルブロッド開閉手段１２はノズル孔１０の上流側であって、中心軸はノズル孔１０の中心軸と異なる軸上に配置した構造である。つまり、ヒータ１１とソレノイドコイル１２Ｂが干渉しないよう最小スペースになるよう略平行に配置し、バルブロッド１２Ａの長さを短くしたままノズル孔１０を発煙部１の中心に配置することにより、発煙部１の間口方向と奥行き方向が短くなり小型化が可能となるのである。
【００２２】
したがって、バルブロッド開閉手段１２にてスモークの噴出および停止が容易に行なえ、設置スペースの狭い演出設備でも使用が可能となり、使用範囲が広がると同時に演出効果を高める使い勝手の良いスモーク発生装置となる。さらに、小型化により気化装置２の熱容量が小さくなるため、スモーク液を加熱気化するための消費電力も抑えることができるのである。
【００２３】
次に、上記した構成における動作を説明する。
【００２４】
本体３の操作部６の図示しない運転スイッチが押されると、制御部７は通信ケーブル８を介してヒータ１１に通電を開始し（予熱）、気化装置２の温度が上昇する。そして、温度検知手段により検出される気化装置２の温度がスモーク液を気化させるのに十分な温度に達すると予熱完了となり、以後予熱待機状態となる。予熱待機状態においては、制御部７は温度検知手段の検出温度に基づいてヒータ１１をオン・オフさせることにより、気化装置２の温度はほぼ一定に保持される。
【００２５】
予熱待機中に操作部６の図示しないスモークスイッチが押されると、制御部７はポンプ５を始動させ、タンク４内のスモーク液を送液パイプ９を介して気化装置２に供給すると同時に、バルブロッド開閉手段１２のソレノイドコイル１２Ｂに通電を開始するため、バルブロッド１２Ａが移動して開閉部１３を開口する。したがって、タンク４から送液パイプ９を介して気化装置２に供給されたスモーク液は、ヒータ１１により加熱気化され開閉部１３を通過してノズル孔１０からスモークとして噴出される。
【００２６】
また、スモーク噴出中にスモークスイッチをオフにすると、制御部７はポンプ５を停止させ気化装置２へのスモーク液の供給を停止すると同時に、ソレノイドコイル１２Ｂへの通電も停止するため、バルブロッド１２Ａが移動して開閉部１３を閉塞する。したがって、発煙部１のノズル孔１０からスモークの噴出は停止して予熱待機状態に戻る。このように、予熱待機中に本体３の操作部６に設けられたスモークスイッチにより、本体と分離した発煙部からスモークの噴出または停止を容易に行なうことができるのである。
【００２７】
つまり、本体３から分離した発煙部１を小型化して、気化装置２のバルブロッド開閉手段１２によりスモークの噴出および停止を遠距離から容易に行なうことができるため、設置スペースの狭い演出設備でも使用が可能となり、使用範囲が広がると同時に演出効果を高める使い勝手の良いスモーク発生装置となる。さらに、小型化により気化装置２の熱容量が小さくなるためスモーク液を加熱気化するための消費電力も抑えることができるのである。
【図面の簡単な説明】
【００２８】
【図１】本実施例の構成図である。
【図２】本実施例の発煙部の外観傾斜図である。
【図３】本実施例の気化装置の概略断面図である。
【符号の説明】
【００２９】
２    気化装置
５    ポンプ
７    制御部
１０  ノズル孔
１１  ヒータ
１２  バルブロッド開閉手段
【図１】
0004768397.tif 000002
【図２】
0004768397.tif 000003
【図３】
0004768397.tif 000004